(57)【要約】【課題】  本発明は、銀行券、パスポート、有価証券、カード、印紙類等の偽造防止、改竄防止が必要とされる真偽判別媒体に関するものである。【解決手段】  基材１に凸部領域Ａを設け、前記凸部領域Ａは前記基材１と同色又は透明色により形成されたことを特徴とする真偽判別媒体Ｐ１であり、前記凸部領域は、第１の領域、第２の領域、・・・、第ｎの領域（ｎは整数）から形成され、前記各領域は凸部の盛り量を異ならせて成り、更に凸部領域は印刷インキで形成され、また凸部領域に密着させて光透過性層を設けたことを特徴とする。【選択図】  図１
2005219356.tif 000002
【特許請求の範囲】
【請求項１】
基材に凸部領域を設け、前記凸部領域は前記基材の表面より盛り上がりを有し、前記基材と同色又は透明色により形成される真偽判別媒体。
【請求項２】
前記凸部領域は、第１の領域、第２の領域、・・・、第ｎの領域（ｎは整数）から形成され、
前記各領域は凸部の盛り量を異ならせて成ることを含む請求項１記載の真偽判別形成体。
【請求項３】
前記凸部領域は、第１の領域、第２の領域、・・・、第ｎの領域（ｎは整数）から形成され、
前記第１の領域の面積、前記第２の領域の面積、・・・、前記第ｎの領域（ｎは整数）の面積は、第１の領域の面積＞前記第２の領域の面積＞、・・・、＞前記第ｎの領域（ｎは整数）の領域の面積の条件を満たして順次積層して成ることを含む請求項１記載の真偽判別形成体。
【請求項４】
前記凸部領域が印刷インキによって形成される請求項１、２又は３記載の真偽判別媒体。
【請求項５】
前記凸部領域に密着させて光透過性層を形成される請求項１、２、３又は４記載の真偽判別媒体。
【発明の詳細な説明】
【技術分野】
【０００１】
本発明は、銀行券、パスポート、有価証券、カード、印紙類等の偽造防止、改竄防止が必要とされる真偽判別媒体に関するものである。
【背景技術】
【０００２】
銀行券、パスポート、有価証券、カード、印紙類等の貴重印刷物等は、その性質上、偽造、変造されにくいことが要求される。その対策として真偽を識別する方法が従来から試みられており、視覚によって判別する方法や、機械的に判別する方法などが提案されている。そのうち視覚による方法は、機械的に判別する方法と異なり、特殊な装置を必要とせず、一般的にも直ちに真偽が判別できる利点がある。この視覚的に判別する方法のうち、貴重印刷物等を傾けて観察することによって潜像画像が視認できるようにして真偽判別を行う技術も知られている。
【０００３】
例えば、潜像凹版と言われているもので、凹版印刷された３次元的模様の均一なディメンションを有する像配列と、バックグランド配列の一方が他方のディメンションとは異なるように構成された種類や、像配列とバックグランド配列における線の向きが異なることによりマークが現われ、又消えるように構成された書類の作成方法が開示されている（特許文献１）。
【０００４】
更に、印刷物を同色で、図柄の一方と他方を光沢の異なるインキで印刷し、正面から見たときは、１種のインキで印刷したように見えるが、印刷物を傾けると潜像が現れてくることを特徴とする真偽判別可能な印刷物が開示されている（特許文献２）。
【０００５】
【特許文献１】特公昭５６−１９２７３号公報（第１頁、第１−１５図）
【特許文献２】特許第３１２２７５５号公報（第１頁、第１図）
【発明の開示】
【発明が解決しようとする課題】
【０００６】
しかしながら、特公昭５６−１９２７３号公報は、浅い角度では潜像画像がされることがなく、また、画線の盛りを高くしなければ、潜像画像が視認されなかった。よって、印刷物を作製するには、画線に盛りを形成できる印刷方式に限られ、このような印刷方式は、多大なコストと作製時間がかかる問題があった。特許第３１２２７５５号公報は、２種類以上のインキが必要であり、潜像画像の視認性が劣っていた。更に上記公報は、いずれにおいても、肉眼での判別のみであり、機械によって真偽判別することができなかった。
【０００７】
以上のことから、本発明は、前述した問題点を解決することを目的としたもので、第１の凸部領域と第２の凸部領域の盛りを若干異ならせて、第１の凸部領域と第２の凸部領域上に光透過性層を密着して設けることによって、観察角度を深めることなく、従来よりも潜像画像の視認性に優れ、第１の凸部領域と第２の凸部領域を２種類のインキを用いることなく、同一のインキで印刷することも可能であり、更に、第１の凸部領域と第２の凸部領域の何れか一方に機能性インキを用いて印刷することによって機械によっての真偽判別が可能となる。また、製版が容易で、凹版印刷画線ほどの盛りを必要とせず、安価なプリンタ、オフセット印刷等により作製することが可能であるため、コスト低減と短時間で作製可能となる。本発明は、上記記載の真偽判別媒体を提案するものである。
【課題を解決するための手段】
【０００８】
本発明は、基材に凸部領域を設け、前記凸部領域は前記基材の表面より盛り上がりを有し、前記基材と同色又は透明色により形成される真偽判別媒体である。
【０００９】
また、本発明は、前記凸部領域は、第１の領域、第２の領域、・・・、第ｎの領域（ｎは整数）から形成され、前記各領域は凸部の盛り量を異ならせて成ることを含む真偽判別形成体である。
【００１０】
また、本発明は、前記凸部領域は、第１の領域、第２の領域、・・・、第ｎの領域（ｎは整数）から形成され、前記第１の領域の面積、前記第２の領域の面積、・・・、前記第ｎの領域（ｎは整数）の面積は、第１の領域の面積＞前記第２の領域の面積＞、・・・、＞前記第ｎの領域（ｎは整数）の領域の面積の条件を満たして順次積層して成ることを含む真偽判別形成体である。
【００１１】
また、本発明は、前記凸部領域が印刷インキによって形成される真偽判別媒体である。
【００１２】
また、本発明は、前記凸部領域に密着させて光透過性層を形成される真偽判別媒体である。
【発明の効果】
【００１３】
本発明の真偽判別媒体に対して垂直方向から観察した場合に第１の凸部領域と第２の凸部領域を区分けして視認することができず、更に、指感（手ざわり感）においても凹凸差を感じることができない。しかしながら、真偽判別媒体に対して垂直方向から傾けて観察した場合に、第１の凸部領域と第２の凸部領域が区分けされて視認されることによって潜像画像が確認される。更に、第１の凸部領域と第２の凸部領域の何れか一方に機能性インキを用いて印刷することによって機械に応じた真偽判別が可能となる。よって、目視での判別効果、機械での判別効果を兼ね備えた真偽判別媒体を作製することができる。
【００１４】
また、製版が容易で、凹版印刷画線ほどの盛りを必要とせず、安価なプリンタ、オフセット印刷等により作製することが可能であるため、低コスト、短時間で作製可能となる。また、従来、昇華型熱転写カード印刷機においては、本発明により、鏡面反射光以外の反射光での効果に加え、鏡面反射光の効果も含めたデザインで印刷物を作製できることで、セキュリティー性の高いカード印刷物を作製することが可能となった。
【００１５】
本発明の真偽判別媒体は鏡面反射光で観察した場合に明瞭な潜像画像の出現、多方向から異なる潜像画像が出現する、真偽判別効果の高い、改ざん、複製防止効果のある真偽判別媒体と成り得、銀行券、パスポート、有価証券、カード、印紙類等の偽造、複写、改ざんを防止する必要性のある貴重製品に適用することができる。
【発明を実施するための最良の形態】
【００１６】
本発明の実施するための最良の形態を図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１７】
図１（ａ）は本発明の構成による真偽判別媒体Ｐ１の平面図である。基材１上に凸部領域Ａを設ける。凸部領域Ａは透明樹脂、透明インキ、基材１と同色のインキ、基材１と同色の樹脂等で印刷又は形成する必要がある。ここで言う同色とは、分光光度計で色差ΔＥが３以下である必要がある。更に、凸部領域Ａはインキの盛り又は樹脂の盛りを有している必要がある。凸部領域Ａのインキの盛り又は樹脂の盛りは２μｍ以上であることが好ましい。また、凸部領域Ａと基材１の凹凸差は肉眼で認識し難いことは勿論のこと、指感（手ざわり感）においても凹凸差を感じることができなくするために、凸部領域Ａのインキの盛り又は樹脂の盛りは２００μｍ以下が好ましい。
【００１８】
図１（ｂ）は、真偽判別媒体Ｐ１のＹ−Ｙ’による断面図である。真偽判別媒体Ｐ１は、基材１上に設けられた凸部領域Ａはインキの盛り又は樹脂の盛りを有していることがわかる。
【００１９】
図２に示すように、真偽判別媒体Ｐ１を垂直方向から拡散光により観察すると、凸部領域Ａは透明インキ、透明樹脂、基材１と同色のインキ、基材１と同色の樹脂等で印刷又は形成され、また、図２（ｂ）に示すように、基材１と凸部領域Ａの境界である境界域７は凹凸差を有しているが、微細な凹凸差であるため、図２（ａ）に示すように凸部領域Ａを視認することができない。また、指感（手ざわり感）においても凹凸差を感じることができない。しかしながら、表面粗さ測定器で測定すると凹凸を有していることがわかる。
【００２０】
図３は、真偽判別媒体Ｐ１を傾けて鏡面反射光により観察した場合の図であり、図３（ｂ）に示すように基材１と凸部領域Ａの境界である境界域７は、凹凸差を有しているため、鏡面光沢面においては、境界域７と、それ以外の凸部領域Ａ及び基材とで入射光からの鏡面反射方向が異なり、境界域７とそれ以外の領域において反射光量の差異が生じる。このようなことから境界域７によって、凸部領域Ａで形成された潜像画像ＰＢが図３（ａ）に示すように視認される。
【００２１】
図４（ａ）は本発明の構成による真偽判別媒体Ｐ２の平面図である。基材１上に凸部領域Ｂを設ける。凸部領域Ｂは透明インキ、透明樹脂、基材１と同色のインキ、基材１と同色の樹脂等で印刷又は形成する必要がある。ここで言う同色とは、分光光度計で色差ΔＥが３以下である必要がある。更に、凸部領域Ｂはインキの盛り又は樹脂の盛りを有している必要がある。凸部領域Ｂのインキの盛り又は樹脂の盛りは２μｍ以上であることが好ましい。また、凸部領域Ｂと基材１の凹凸差は肉眼で認識し難いことは勿論のこと、指感（手ざわり感）においても凹凸差を感じることができなくするために、凸部領域Ｂのインキの盛り又は樹脂の盛りは２００μｍ以下が好ましい。この凸部領域Ｂ上又は基材全面に光透過性層４を設ける。図４（ａ）では、基材１全面に光透過性層を設けている。凸部領域Ｂが形成された光透過性層の表面の領域は、凸部領域Ｂが形成されていない光透過性層の表面の領域に比べ、光過性層は凸状になっている。この凸状は肉眼では認識し難いが、表面粗さ計で計測すると凹凸があることがわかる。また、光透過性層４は半透明、透明層のプラスチック等のフィルムであることが好ましい。
【００２２】
図４（ｂ）は、真偽判別媒体Ｐ２のＹ−Ｙ’による断面図である。真偽判別媒体Ｐ２は、基材１上に設けられた凸部領域Ｂはインキの盛り又は樹脂の盛りを有しており、その盛りによって凸部領域Ｂが形成された光透過性層の領域は盛りを有している。真偽判別媒体Ｐ２は真偽判別媒体Ｐ１に示した図２とほぼ同様な効果、図３より優れた潜像効果が得られる。真偽判別媒体Ｐ２を垂直方向から拡散光により観察すると、図５に示すように凸部領域Ｂは透明樹脂、透明インキ、基材１と同色のインキ、基材１と同色の樹脂等で印刷又は形成され、また、図５（ｂ）に示すように基材１と凸部領域Ｂの境界である境界域７の光透過性層の表面は、凹凸差を有しているが、微細な凹凸差であるため、図５（ａ）に示すように凸部領域Ｂを視認することができない。光透過性層の凹凸差は肉眼で認識し難いことは勿論のこと、指感（手ざわり感）においても凹凸差を感じることができない。しかしながら、表面粗さ測定器で測定すると凹凸を有していることがわかる。図６に示すように真偽判別媒体Ｐ２を傾けて鏡面反射光により観察した場合、図６（ｂ）に示すように基材１と凸部領域Ｂの境界である境界域７の光透過性層の表面は、凹凸差を有しているため、鏡面光沢面においては、境界域７と、それ以外の凸部領域Ｂ及び基材とで入射光からの鏡面反射方向が異なり、境界域７とそれ以外の領域において反射光量の差異が生じる。このようなことから境界域７によって、凸部領域Ｂで形成された潜像画像ＰＢが図６（ａ）に示すように視認される。
【００２３】
図７（ａ）は本発明の構成による真偽判別媒体Ｐ３の平面図である。基材１上に凸部領域Ｃを設け、凸部領域Ｃは第１の凸部領域２と第２の凸部領域３に区分けされている。この場合、第１の凸部領域２と第２の凸部領域３は同色のインキ、同色の樹脂等で印刷又は形成する必要がある。ここで言う同色とは、分光光度計で色差ΔＥが３以下である必要がある。更に、第１の凸部領域２と第２の凸部領域３はインキの盛りが異なっている必要がある。第１の凸部領域２と第２の凸部領域３のインキの盛りの差異は２μｍ以上あることが好ましい。また、第１の凸部領域２、第２の凸部領域３及び基材１の凹凸差は肉眼で認識し難いことは勿論のこと、指感（手ざわり感）においても凹凸差を感じることができなくするために、凸部領域Ｃのインキの盛り又は樹脂の盛りは２００μｍ以下が好ましい。第２の凸部領域３が形成された領域は、第１の凸部領域２が形成された領域以外に比べ、凸状になっている。この凸状は肉眼では認識し難いが、表面粗さ計で計測すると凹凸があることがわかる。
【００２４】
図７（ｂ）は、真偽判別媒体Ｐ３のＹ−Ｙ’による断面図である。真偽判別媒体Ｐ３は、基材１上に、第１の凸部領域２と、第２の凸部領域３が形成され、この場合、第２の凸部領域３は第１の凸部領域２よりも盛りが高く、第１の凸部領域２上に第２の凸部領域３が形成されていることがわかる。
【００２５】
図８に示すように、真偽判別媒体Ｐ３を垂直方向から拡散光により観察すると、第１の凸部領域２と第２の凸部領域３は同色のインキ、同色の樹脂等で印刷又は形成され、また、図８（ｂ）に示すように第１の凸部領域２と第２の凸部領域３の境界である境界域７は、凹凸差を有しているが、微細な凹凸差であるため、図８（ａ）に示すように第１の凸部領域２と第２の凸部領域３を区分けして視認することができない。凹凸差は肉眼で認識し難いことは勿論のこと、指感（手ざわり感）においても凹凸差を感じることができない。しかしながら、表面粗さ測定器で測定すると凹凸を有していることがわかる。よって、第１の凸部領域２のみ視認される。この場合、凸部領域Ｃは基材１と同色の場合は、凸部領域Ｃは視認することはできない。
【００２６】
図９は、真偽判別媒体Ｐ３を傾けて鏡面反射光により観察した場合、図９（ｂ）に示すように第１の凸部領域２と第２の凸部領域３の境界である境界域７は、凹凸差を有しているため、鏡面光沢面においては、境界域７とそれ以外の第１の凸部領域２と第２の凸部領域３とで入射光からの鏡面反射方向が異なり、境界域７とそれ以外の領域において反射光量の差異が生じる。よって第２の凸部領域３で形成された潜像画像ＰＢが図９（ａ）に示すように視認される。
【００２７】
図１０（ａ）は本発明の構成による真偽判別媒体Ｐ４の平面図である。基材１上に凸部領域Ｄを設け、凸部領域Ｄは第１の凸部領域２と第２の凸部領域３に区分けされている。この場合、第１の凸部領域２と第２の凸部領域３は同色のインキ、同色の樹脂等で印刷又は形成する必要がある。ここで言う同色とは、分光光度計で色差ΔＥが３以下である必要がある。更に、第１の凸部領域２と第２の凸部領域３はインキの盛りが異なっている必要がある。第１の凸部領域２と第２の凸部領域３のインキの盛りの差異は２μｍ以上あることが好ましい。また、第１の凸部領域２、第２の凸部領域３及び基材１の凹凸差は肉眼で認識し難いことは勿論のこと、指感（手ざわり感）においても凹凸差を感じることができなくするために、凸部領域Ｄのインキの盛り又は樹脂の盛りは２００μｍ以下が好ましい。この凸部領域Ｂ上又は基材全面に光透過性層４を設ける。図１０（ａ）では、基材１全面に光透過性層４を設けている。第２の凸部領域３が形成された光透過性層の表面の領域は、第１の凸部領域２が形成された光透過性層の表面の領域に比べ、光過性層は凸状になっている。この凸状は肉眼では認識し難いが、表面粗さ計で計測すると凹凸があることがわかる。また、光透過性層４は半透明、透明層のプラスチック等のフィルムであることが好ましい。
【００２８】
図１０（ｂ）は、真偽判別媒体Ｐ４のＹ−Ｙ’による断面図である。真偽判別媒体Ｐ４は、基材１上に、第１の凸部領域２と、第２の凸部領域３が形成され、この場合、第２の凸部領域３は第１の凸部領域２よりも盛りが高く、第１の凸部領域２上に第２の凸部領域３が形成されており、その盛りによって凸部領域Ｄが形成された光透過性層の領域は盛りを有している。真偽判別媒体Ｐ４は真偽判別媒体Ｐ３に示した図８とほぼ同様な効果、図９より優れた潜像効果が得られる。真偽判別媒体Ｐ４を垂直方向から拡散光により観察すると、図１１に示すように第１の凸部領域２と第２の凸部領域３は同色のインキ、同色の樹脂等で印刷又は形成され、また、図１１（ｂ）に示すように第１の凸部領域２と第２の凸部領域３の境界である境界域７の光透過性層の表面は、凹凸差を有しているが、微細な凹凸差であるため、図１１（ａ）に示すように第１の凸部領域２と第２の凸部領域３を区分けして視認することができない。よって、第１の凸部領域２のみ視認される。この場合、凸部領域Ｃは基材１と同色の場合は、凸部領域Ｃは視認することはできない。図１２に示すように真偽判別媒体Ｐ４を傾けて鏡面反射光により観察した場合、図１２（ｂ）に示すように、第１の凸部領域２と第２の凸部領域３の境界である境界域７の光透過性層の表面は、凹凸差を有しているため、鏡面光沢面においては、境界域７と、それ以外の第１の凸部領域２と第２の凸部領域３とで入射光からの鏡面反射方向が異なり、境界域７とそれ以外の領域において反射光量の差異が生じる。このようなことから境界域７によって、第２の凸部領域３で形成された潜像画像ＰＢが図１２（ａ）に示すように視認される。
【００２９】
真偽判別媒体Ｐ３、Ｐ４において、第１の凸部領域２上に第２の凸部領域３を形成しているが、図１３に示すように第１の凸部領域２と第２の凸部領域３を重ねて印刷等することなく刷り合わせ等によって、真偽判別媒体Ｐ５、Ｐ６を形成しても良い。真偽判別媒体Ｐ５、Ｐ６は、真偽判別媒体Ｐ４の光透過性層を有する形態で説明する。ここで、第１の凸部領域２と第２の凸部領域３のうち、何れか一方が赤外線吸収特性を有するインキで印刷し、他方が前記一方とは異なる赤外線吸収特性を有するインキで印刷する。例えば、第１の凸部領域２は赤外線吸収特性を有するインキで印刷され、第２の凸部領域３を第１の凸部領域２で印刷したインキとは異なる赤外線吸収特性を有するインキで印刷した場合、真偽判別媒体Ｐ５は、真偽判別媒体Ｐ４と同様な効果が得られ、更に、図１４（ａ）に示すように真偽判別媒体Ｐ５を赤外線表示装置で観察した場合、第１の凸部領域２は黒く表示され、第２の凸部領域３は何も表示されないため潜像画像ＰＢが白抜けで視認される。更に、例えば、第２の凸部領域３は赤外線吸収特性を有するインキで印刷され、第１の凸部領域２を第２の凸部領域３で印刷したインキとは異なる赤外線吸収特性を有するインキで印刷した場合、真偽判別媒体Ｐ６は、真偽判別媒体Ｐ４と同様な効果が得られ、更に、図１４（ｂ）に示すように真偽判別媒体Ｐ６を赤外線表示装置で観察した場合、第２の凸部領域３は黒く表示され、第１の凸部領域２は何も表示されないためが黒く視認される。
【００３０】
真偽判別媒体Ｐ３、Ｐ４において、第１の凸部領域２と第２の凸部領域３が重なる場合には、第２の凸部領域３を赤外線吸収特性を有するインキで印刷し、第１の凸部領域２に第２の凸部領域３で印刷したインキとは異なる赤外線吸収特性を有するインキで印刷することで、赤外線表示装置で観察すると潜像画像PBを視認することができる。
【００３１】
上記凸部領域Ｃ、凸部領域Ｄは第１の凸部領域２と第２の凸部領域３の二つの領域で構成されているが本発明はこれに限定されることなく、少なくとも二つの領域、つまりｎ個の領域で構成することも可能である。よって、少なくとも二つの領域の内、少なくとも一つの領域は赤外線吸収特性を有するインキで印刷され、他の領域は異なる赤外線吸収特性を有するインキで印刷することによって図１４に示すような効果を得ることができる。また、上記記載の真偽判別媒体Ｐ３、Ｐ４は重ね刷りによって形成されているため、第１の印刷領域２と第２の印刷領域３は積層している。よって、凸部領域をｎ個の領域（ｎは整数）で形成する場合、第１の領域の面積、第２の領域の面積、・・・、第ｎの領域（ｎは整数）の面積は、第１の領域の面積＞前記第２の領域の面積＞、・・・、＞前記第ｎの領域（ｎは整数）の面積の条件を満たして順次積層する必要がある。上記記載の真偽判別媒体Ｐ５、Ｐ６は刷り合わせによって形成されているため、第１の凸部領域２と第２の凸部領域３は区分け層となっている。よって、凸部領域をｎ個の領域（ｎは整数）で形成する場合、各領域は、何れかの領域と隣接又は近接している必要がある。この場合の近接とは各領域が１０００μｍ程度以内、離れていることをいう。
【００３２】
ここで言う、積層とは図７（ｂ）、図１０（ｂ）のように重ね刷りされた形状を示し、区分け層とは図１３に示すような各領域が重なることなく刷り合わせの形状となっている。
【００３３】
本発明の第１の凸部領域２と第２の凸部領域３は同色のインキ、同色の樹脂等で印刷又は形成する必要がある。ここで言う同色のインキとは、分光光度計で色差ΔＥが３以下である必要がある。よって、第１の凸部領域２と第２の凸部領域３において、同一のインキ、樹脂等を用いることが可能であり、異なる種類のインキ、樹脂等も用いることが可能である。インキを用いた場合、少なくともどちらか一方のインキを機能性インキを用いることによって偽造防止効果が向上する。機能性インキとは、蛍光インキ、赤外線吸収インキ、サーモクロミックインキ、磁性インキ、導電性インク等が挙げられる。また、色彩においては特に限定されるものではないが、明度が低いものが好ましい。また、光沢のあるなしにかかわらず、一般のオフセットインキ、スクリーンインキ、グラビアインキ及びプリンタ等使用することができる。
【００３４】
また、本発明の真偽判別媒体の第１の凸部領域２と第２の凸部領域３は、通常のプリンタ等で作成する場合、第１の凸部領域２と第２の凸部領域３のうち、何れか一方がカーボン等が含有されているブラックで印刷し、他方がシアン、マゼンタ、イエローの混色で印刷することによって、図１４と同様な効果を呈することができる。この場合、シアン、マゼンタ、イエローの混色で印刷する領域を下地として、カーボン等が含有されているブラックを下地に重ね刷りする必要がある。更に、カードプリンタ等で印刷する場合、第１の凸部領域２と第２の凸部領域３のうち、一方の領域は、昇華型熱転写インク又は溶融型熱転写インクで印刷し、他方の領域は、溶融型熱転写インクで印刷することが好ましい。
【００３５】
本発明の第１の凸部領域２と第２の凸部領域３の領域は全く制限されることなく自由に印刷、形成をすることができる。よって、印刷の場合での作製は第１の凸部領域２と第２の凸部領域３を網点での構成、線画での構成及びセルでの構成の少なくとも一つを用いて形成することができる。例えば、第１の凸部領域２と第２の凸部領域３を、図１５（ａ）に示すように線画での構成、図１５（ｂ）に示すように網点での構成で形成することができる。この場合も第１の凸部領域２と第２の凸部領域３の盛りは異なっている必要がある。図１５（ａ）は、第２の凸部領域３を、複数の画線からなる潜像部８ａと背景部８ｂで構成し、潜像部８ａと背景部８ｂで画線は９０度異なるように配置され、第２の凸部領域３の画線部と非画線部で微細な凹凸を形成することができる。このような画線構成にすることによって第１の凸部領域２から、潜像画像として第２の凸部領域３が視認される効果、更に傾けて観察する角度を深めると、第２の凸部領域３のうち、潜像部８ａと背景部８ｂは区分けして視認され潜像画像が視認できる効果を生める。その他の線画での構成を図１６に示す。図１６（ａ）は線画で構成された領域が３つの例、図１６（ｂ）は線画で構成された領域が４つの例を示す。
【００３６】
第１の凸部領域２と第２の凸部領域３の盛りの差異は、垂直方向から観察した場合に第１の凸部領域２と第２の凸部領域３が区分けして視認されないように数ミクロン程度の厚さとする。
【００３７】
本発明に用いる基材は特に限定されるものではなく、紙、プラスチック、金属等を用いることができる。厚さは特に限定されるものではない。
【００３８】
本発明に用いる光透過性層は、好ましくは透明である必要があり、光沢があれば半透明でも良い。更に、第１の凸部領域２と第２の凸部領域３に光透過性層をラミネートした場合、第１の凸部領域２と第２の凸部領域３の凹凸形状は維持している必要がある。透明層の厚さにおいては数ミクロン程度の薄い厚さのものを使用することが可能である。
【実施例】
【００３９】
以下、実施例を用いて本発明を更に詳細に説明するが、本発明の内容は、これらの実施例の範囲に限定されるものではない。
【００４０】
基材は、IDカード用の白のプラスチックカード（塩ビ０．７６ｍｍ厚）を使用し、印刷機は昇華型再転写カードプリンタ（STR−８６０  FUJIFILM社製）を使用した。昇華型再転写カードプリンタ（STR−８６０  FUJIFILM社製）は、シアン、マゼンタ及びイエローは昇華型熱転写インクであり、ブラックは溶融型熱転写インクであり、光沢のある透明フィルムとして再転写フィルムが備わっている。溶融型熱転写インクであることから、昇華型熱転写インクよりもインキ盛りを有することができる。第１の印刷領域の画像として、ブラック色のベタ模様をシアン、マゼンタ及びイエローで再転写フィルムに印刷し、第２の印刷領域の潜像パターンをブラックで第１の印刷領域の画像部分と重複するように再転写フィルムに印刷し、印刷された再転写フィルムを基材に転写し、表面に光沢のある微細な凹凸形状の形成されたIDカード印刷物を作製した。第２の印刷領域の潜像パターンは、画線幅０．２ｍｍ、ピッチ０．２ｍｍの複数の直画線からなる潜像部と背景部を構成し、直画線のあるなしで微細な凹凸差を構成し、０．００２ｍｍ微細な凹凸差を構成した。潜像部と背景部で直画線は９０度異なるように構成した。再転写フィルムは、０．００２ｍｍ微細な凹凸差を維持するように、基材に密着してラミネートした。
【００４１】
本印刷物を鏡面反射光以外の反射光で観察すると、ブラックのベタ模様でのみ視認されるが、鏡面反射光で観察すると、潜像パターン及び潜像部が微細な凹凸形状による光沢差の違いで視認された。また、本印刷物をカラー複写機（キャノン  カラーレーザーコピア  １１５０PIXEL）で複写物を作製した。複写物を鏡面反射光以外の反射光で観察すると、ブラックのベタ模様は視認されたが、鏡面反射光で観察すると、潜像パターン及び潜像部を視認することはできず、複写防止効果について確認できた。更に、赤外線表示装置で観察した場合、第２の印刷領域のみが視認できた。
【図面の簡単な説明】
【００４２】
【図１】本発明の構成による真偽判別媒体Ｐ１の平面図及びその断面図である。
【図２】真偽判別媒体Ｐ１を垂直方向から拡散光で観察した場合の図である。
【図３】真偽判別媒体Ｐ１を傾けて鏡面反射光で観察した場合の図である。
【図４】本発明の構成による真偽判別媒体Ｐ２の平面図及びその断面図である。
【図５】真偽判別媒体Ｐ２を垂直方向から拡散光で観察した場合の図である。
【図６】真偽判別媒体Ｐ２を傾けて鏡面反射光で観察した場合の図である。
【図７】本発明の構成による真偽判別媒体Ｐ３の平面図及びその断面図である。
【図８】真偽判別媒体Ｐ３を垂直方向から拡散光で観察した場合の図である。
【図９】真偽判別媒体Ｐ３を傾けて鏡面反射光で観察した場合の図である。
【図１０】本発明の構成による真偽判別媒体Ｐ４の平面図及びその断面図である。
【図１１】真偽判別媒体Ｐ４を垂直方向から拡散光で観察した場合の図である。
【図１２】真偽判別媒体Ｐ４を傾けて鏡面反射光で観察した場合の図である。
【図１３】本発明の構成による真偽判別媒体Ｐ５，Ｐ６の断面図である。
【図１４】真偽判別媒体Ｐ５、Ｐ６を赤外線表示装置で観察した場合の図である。
【図１５】網点での構成又は線画での構成で印刷した例を示す図である。
【図１６】その他の線画での構成を示す図である。
【符号の説明】
【００４３】
１          基材
２          第１の凸部領域
３          第２の凸部領域
４          光透過性層
５、５’    第１のインキ
６、６’    第２のインキ
７          境界域
８ａ        潜像部
８ｂ        背景部
Ｐ１、Ｐ２、Ｐ３、Ｐ４、Ｐ５、Ｐ６        真偽判別媒体
Ａ、Ｂ、Ｃ、Ｄ          凸部領域
【図１】
2005219356.tif 000003
【図２】
2005219356.tif 000004
【図３】
2005219356.tif 000005
【図４】
2005219356.tif 000006
【図５】
2005219356.tif 000007
【図６】
2005219356.tif 000008
【図７】
2005219356.tif 000009
【図８】
2005219356.tif 000010
【図９】
2005219356.tif 000011
【図１０】
2005219356.tif 000012
【図１１】
2005219356.tif 000013
【図１２】
2005219356.tif 000014
【図１３】
2005219356.tif 000015
【図１４】
2005219356.tif 000016
【図１５】
2005219356.tif 000017
【図１６】
2005219356.tif 000018